(57)【要約】【課題】遠心刃の回動による衝撃緩和を妨げることなく、刈払った刈草が、遠心刃を支持する旋回アームやこれを回転駆動する駆動軸に巻き付く虞のない草刈機を提供する【解決手段】旋回アーム７の旋回領域の上方を覆う上カバー部材３と、該旋回領域の下方を覆うように設けられ旋回アーム７とともに回転される下カバー部材４とからなる巻付防止カバー１を備えた。下カバー部材４は、その外周部と上カバー部材３の外周部との間に遠心刃５と干渉しないように設けられ、駆動軸の周囲を部分的に覆う複数の第１軸カバー部６ａと、第１軸カバー部６ａの相互に隣接する端縁６ｃ間において遠心刃５の背後に遠心刃５と干渉しないように設けられた複数の第２軸カバー部６ｂとを含む。【選択図】図２
0003201912.tif 000002
【実用新案登録請求の範囲】
【請求項１】
駆動源と、
この駆動源により回転される駆動軸と、
この駆動軸に取り付けられた旋回アームと、
この旋回アームに一端部が回動自在に枢着され、該旋回アームの回転により生じる遠心力により回動して該旋回アームの延長方向に突出される複数の遠心刃と、を備えた草刈機において、
前記旋回アームの旋回領域の上方を覆う上カバー部材と、前記駆動軸に前記旋回アームの旋回領域の下方を覆うように固定され該旋回アームとともに回転される下カバー部材とから構成された巻付防止カバーを有し、
この巻付防止カバーの前記下カバー部材は、
該下カバー部材の外周部と前記上カバー部材の外周部との間に前記遠心刃と干渉しないように設けられ、前記駆動軸の周囲を部分的に覆う複数の第１軸カバー部と、
これら第１軸カバー部の相互に隣接する端縁間において前記遠心刃の背後に該遠心刃と干渉しないように設けられ、前記駆動軸の周囲のうち、前記第1軸カバー部で覆われていない部分を覆う複数の第２軸カバー部とを含むことを特徴とする草刈機。
【請求項２】
駆動源と、
この駆動源により回転される駆動軸と、
この駆動軸に取り付けられた旋回アームと、
この旋回アームに一端部が回動自在に枢着され、該旋回アームの回転により生じる遠心力により回動して該旋回アームの延長方向に突出される複数の遠心刃と、を備えた草刈機において、
前記旋回アームの旋回領域の上方を覆う上カバー部材と、前記駆動軸に前記旋回アームの旋回領域の下方を覆うように回転可能に取り付けられた下カバー部材と、前記駆動軸に固定され前記上カバー部材と下カバー部材との間の空間を閉塞した状態で該駆動軸とともに回転する軸カバー部材とから構成された巻付防止カバーを有し、
前記巻付防止カバーの前記軸カバー部材は、
前記下カバー部材の外周部と前記上カバー部材の外周部との間において前記遠心刃と干渉しない箇所に配され、前記駆動軸の周囲を部分的に覆う複数の第１軸カバー部と、
これら第１軸カバー部の相互に隣接する端縁間において前記遠心刃の背後に該遠心刃と干渉しないように設けられ、前記駆動軸の周囲のうち、前記第1軸カバー部で覆われていない部分を覆う複数の第２軸カバー部とを含むことを特徴とする草刈機。
【考案の詳細な説明】
【技術分野】
【０００１】
本考案は、回転時の遠心力により半径方向に突出する刈刃（以下、遠心刃という。）により雑草や芝等の草を刈る草刈機に関し、特に、草刈り時に生じる刈草の巻付を防止する巻付防止カバーを備えた草刈機に関する。なお、本考案において草刈機とは、駆動源を備え、作業者が手に持ったり肩から提げたりして使用される携行型のものや、例えば手押し式や自走式の芝刈り機等のような大型のものまで、およそ遠心刃により雑草や芝などの草を刈る装置全般をいう。
【背景技術】
【０００２】
従来、草刈機の刈刃として、一般に丸鋸や板状刃が用いられている。これらの刈刃はたいていの場合駆動軸に直接固定されており、そのため刈払い作業中にコンクリートや石など硬い物体と接触すると、強い衝撃を受けて作業者が転倒したり刈刃自体が損傷したりする。
【０００３】
この問題に対処するために、特許文献１では、２枚の回転板の間に数枚の遠心刃を回動自在に取り付けた草刈機が提案されている。
【０００４】
ところで、特許文献２には、ナイロンコードを用いた刈払機として、モータや燃料エンジンなどの動力源によって回転駆動される駆動軸の先端部にナイロンコードなどの可撓線状刃を外方へ突出させた線状刃回転ユニットを装着し、刈刃の回転によって雑草などの刈取りを行う刈払機において、異物が絡む部位への異物侵入を阻止する円筒構造を付加した線状刃回転ユニットを備えた刈払機が記載されている。
【先行技術文献】
【特許文献】
【０００５】
【特許文献１】特開昭５１−５５０８６号公報
【特許文献２】特開２０１２−２９６６８号公報
【考案の概要】
【考案が解決しようとする課題】
【０００６】
特許文献１に記載の従来技術にあっては、通常の刈払い作業時においては回転時の遠心力によって遠心刃が回転板外周から突出することで雑草等を刈ることができ、コンクリートや石など硬い物体と接触した際には遠心刃が自ずと回動、後退することでその衝撃を緩和することができる。
【０００７】
しかし、上記の構成にあっては、遠心刃の上面及び下面は回転板で覆われているものの、間に遠心刃を挟んでいる都合上、側面に隙間が存在する。そのため、この側面の隙間から刈り払った刈草が侵入し、これが内部に詰まったり駆動軸に巻き付いたりして、駆動系に負荷が掛かったり、最悪の場合回転板が停止したりしてしまう虞がある。
【０００８】
一方、特許文献２に記載の草刈機は、刈刃が突出するための隙間を除いて、円筒構造の外周側面全てがカバーで覆われているため、刈草がカバー内に侵入する虞はない。よって、一見すると、この円筒構造の構成を特許文献１に記載の草刈機に適用すれば、上記の課題は解決するように思える。
【０００９】
しかし、上記の構成はナイロンコードなど、外部に突出させるために側面に設ける隙間が最小限で済む刈刃を用いることが前提であり、特許文献１に記載されるような、周りに回動に足る充分な隙間が必要な遠心刃を用いる草刈機に上記円筒構造をそのまま適用することは、その隙間から刈草が侵入する虞があることから望めない。したがって、特許文献２に記載の技術は、特許文献１に記載の技術の課題を解決する手段とはならない。
【００１０】
本考案は、上記事情を鑑み創案されたものであり、遠心刃の回動による衝撃緩和を妨げることなく、刈払った刈草が、遠心刃を支持する旋回アームやこれを回転駆動する駆動軸に巻き付く虞のない草刈機を提供することを目的とする。
【課題を解決するための手段】
【００１１】
上記の課題を解決するための、請求項１の考案に係る草刈機は、駆動源と、この駆動源により回転される駆動軸と、この駆動軸に取り付けられた旋回アームと、この旋回アームに一端部が回動自在に枢着され、該旋回アームの回転により生じる遠心力により回動して該旋回アームの延長方向に突出される複数の遠心刃と、を備えた草刈機において、前記旋回アームの旋回領域の上方を覆う上カバー部材と、前記駆動軸に前記旋回アームの旋回領域の下方を覆うように固定され該旋回アームとともに回転される下カバー部材とから構成された巻付防止カバーを有し、この巻付防止カバーの前記下カバー部材は、該下カバー部材の外周部と前記上カバー部材の外周部との間に前記遠心刃と干渉しないように設けられ、前記駆動軸の周囲を部分的に覆う複数の第１軸カバー部と、これら第１軸カバー部の相互に隣接する端縁間において前記遠心刃の背後に該遠心刃と干渉しないように設けられ、前記駆動軸の周囲のうち、前記第1軸カバー部で覆われていない部分を覆う複数の第２軸カバー部とを含むことを特徴とするものである。
【００１２】
上記の構成の草刈機によれば、駆動軸およびこの駆動軸に取り付けられた旋回アームが巻付防止カバーにより覆われており、しかも巻付防止カバーの下カバー部材の第１軸カバー部と第２軸カバー部とはいずれも遠心刃と干渉しないように設けられているので、草刈り時に遠心刃の回動動作が巻付防止カバーにより妨げられることがないとともに、刈草が駆動軸や旋回アームに絡む虞がなく、草刈り作業をスムーズに行うことができる。
【００１３】
また、請求項２の考案に係る草刈機は、駆動源と、この駆動源により回転される駆動軸と、この駆動軸に取り付けられた旋回アームと、この旋回アームに一端部が回動自在に枢着され、該旋回アームの回転により生じる遠心力により回動して該旋回アームの延長方向に突出される複数の遠心刃と、を備えた草刈機において、前記旋回アームの旋回領域の上方を覆う上カバー部材と、前記駆動軸に前記旋回アームの旋回領域の下方を覆うように回転可能に取り付けられた下カバー部材と、前記駆動軸に固定され前記上カバー部材と下カバー部材との間の空間を閉塞した状態で該駆動軸とともに回転する軸カバー部材とから構成された巻付防止カバーを有し、前記巻付防止カバーの前記軸カバー部材は、前記下カバー部材の外周部と前記上カバー部材の外周部との間において前記遠心刃と干渉しない箇所に配され、前記駆動軸の周囲を部分的に覆う複数の第１軸カバー部と、これら第１軸カバー部の相互に隣接する端縁間において前記遠心刃の背後に該遠心刃と干渉しないように設けられ、前記駆動軸の周囲のうち、前記第1軸カバー部で覆われていない部分を覆う複数の第２軸カバー部とを含むことを特徴とするものである。
【００１４】
上記の構成の草刈機によれば、駆動軸およびこの駆動軸に取り付けられた旋回アームが巻付防止カバーにより覆われており、しかも巻付防止カバーの下カバー部材の第１軸カバー部と第２軸カバー部とはいずれも遠心刃と干渉しないように設けられているので、草刈り時に遠心刃の回動動作が巻付防止カバーにより妨げられることがないとともに、刈草が駆動軸や旋回アームに絡む虞がなく、草刈り作業をスムーズに行うことができる。また、下カバー部材と軸カバー部材とが別体であるので、巻付防止カバーのなかでも最も傷み易い下カバー部材だけを新しいものと交換することができるので、パーツの交換費用を抑えることができる。
【考案の効果】
【００１５】
本考案によれば、草刈り時に遠心刃の回動動作が巻付防止カバーにより妨げられることがないとともに、刈草が駆動軸や旋回アームに絡む虞がなく、草刈り作業をスムーズに行うことができる草刈機を提供することができる。
【図面の簡単な説明】
【００１６】
【図１】本考案に係る草刈機の一実施形態を示す正面図である。
【図２】図１に示す草刈機の要部を示す斜視図である。
【図３】図１に示す草刈機の要部を示す分解斜視図である。
【図４】図１に示す草刈機の巻付防止カバーを示す平面図である。
【考案を実施するための形態】
【００１７】
以下、本考案の実施形態として、本考案を携行型の草刈機に適用した例について、図面を参照して説明する。
【００１８】
図１は、草刈機を示す正面図、図２は、草刈機の要部を示す斜視図、図３は、草刈機の要部を示す分解斜視図、図４は、巻付防止カバーを示す平面図である。
【００１９】
この草刈機１００は、操作杆２０と、駆動源（図示せず）と、この駆動源により回転される駆動軸２と、この駆動軸２に取り付けられた旋回アーム７と、この旋回アーム７に一端部が回動自在に枢着され、該旋回アーム７の回転により生じる遠心力により回動して該旋回アーム７の延長方向に突出される２枚の遠心刃５，５と、駆動軸２及び旋回アーム７への刈草の巻付を防止する巻付防止カバー１とを備えたものである。
【００２０】
操作杆２０には、その先端部に、駆動源を内蔵した駆動源ケース１０が設けられる一方、後端部に、駆動源の起動、停止を行う操作スイッチ２３を備えた後部ハンドル２２が設けられるとともに、後部ハンドル２２の近傍に前部ハンドル２１が設けられている。なお、この操作杆２０には、携行および草刈り作業が容易に行えるようにショルダーベルトが設けられていてもよい。
【００２１】
駆動源としては、例えば、後部ハンドル２２に装着された電池により駆動される電動モータや、燃油を使用する小型エンジンなど、この種の草刈機において従来から汎用されている携行に適した軽量のものが採用される。
【００２２】
駆動軸２は、その基端部が上記の駆動源に接続される一方、先端部が駆動源ケース１０の下端面から突設されている。この先端部の突端には、図３に示すように、小径部２ａが設けられ、さらにこの小径部２ａの先端面には横断面が異形の嵌合凸部２ｂが設けられている。また、この嵌合凸部２ｂの先端面には雌ネジ孔２ｃが形成されている。
【００２３】
旋回アーム７は、図３に示すように、外形が上記駆動軸２の小径部２ａの外形と同一の駆動軸取付部７ｂと、この駆動軸取付部７ｂの周縁から相反する方向に延出された一対の遠心刃取付杆７ｃ，７ｃとから構成されている。駆動軸取付部７ｂの中心には、上記駆動軸２の嵌合凸部２ｂと合致する形状の嵌合孔７ａが設けられている。このように駆動軸２の嵌合凸部２ｂが横断面異形とされ、嵌合孔７ａの形状がこれと合致するようにされているので、駆動軸２の回転力が余すことなく旋回アーム７に伝達される。また、遠心刃取付杆７ｃ，７ｃの先端部には、遠心刃５，５を枢着するための枢着ネジ１５，１５と螺合する雌ネジ孔（図示せず）が設けられている。
【００２４】
２枚の遠心刃５，５は、それぞれその基端部が、上記旋回アーム７の遠心刃取付杆７ｃ，７ｃの各先端部に、枢着ネジ１５，１５により回動可能に枢着されている。これら遠心刃５，５は鋼材からなり、テーパがつけられるとともに、両側縁がともに刃とされている。なお、刃は、遠心刃５，５の両側縁ともに設ける必要はなく、旋回アーム７の回転方向に相対する側縁のみに設けてもよい。また、図示例では、遠心刃５，５は旋回アーム７の下面側に枢着されているが、これに限らず、上面側に枢着されてもよい。さらに、遠心刃５の枚数は２枚である必要はなく、３枚以上であってもよい。その場合、旋回アーム７の遠心刃取付杆７ｃの本数を遠心刃５の枚数分とし、遠心刃取付杆７ｃ同士の間隔を均等に配すればよい。つまり、遠心刃５が３枚の場合は、３本の遠心刃取付杆７ｃを駆動軸取付部７ｂの周囲に１２０度ずつ隔てて配し、４枚の場合は、４本の遠心刃取付杆７ｃを駆動軸取付部７ｂの周囲に９０度ずつ隔てて配する。
【００２５】
巻付防止カバー１は、図３及び図４に示すように、旋回アーム７の旋回領域の上方を覆う上カバー部材３と、駆動軸２に旋回アーム７の旋回領域の下方を覆うように固定され、旋回アーム７とともに回転される下カバー部材４とから構成されている。
【００２６】
上カバー部材３は、旋回アーム７の先端部辺りまでを覆う大きさとされるとともに、その外周縁のうち草刈り作業時に作業者に臨む外周縁から、作業者の足下の安全を確保するためのガード部材８が一体的に延設されている。このガード部材８は、上カバー部材３と一体的に連なる上面板８ａと、この上面板８ａの先端縁から下方に垂設された周面板８ｂとから構成されており、その周面板８ｂが旋回アーム７により旋回される遠心刃５，５の先端と干渉しない大きさとされている。また、上カバー部材３の中央には、駆動軸２が挿通される挿通孔３ａが設けられるとともに、駆動源ケース１０の先端部に取着される環状又は円弧状の取付壁部３ｂがこの挿通孔３ａの周縁部から立ち上げ形成されている。
【００２７】
下カバー部材４は、図４に示すように、旋回アーム７の旋回領域の下方を覆う円盤状の基板４ａと、駆動軸２の周囲を部分的に覆う２つの第１軸カバー部６ａ，６ａと、駆動軸２の周囲のうち、第１軸カバー部６ａ，６ａで覆われていない部分を覆う２つの第２軸カバー部６ｂ，６ｂとを備えている。
【００２８】
基板４ａは、その中心に、駆動軸２の嵌合凸部２ｂと合致する形状の嵌合孔４ｂが設けられるとともに、駆動軸２の小径部２ａと嵌合する嵌合壁部４ｃが上面側に、旋回アーム７と下カバー部材４とを固定するスプリングワッシャ１３、ワッシャ１４、固定ネジ１２を収容する凹陥部４ｄが下面側に、それぞれ嵌合孔４ｂを囲むように形成されている。また、この基板４ａの外周部には、旋回アーム７に遠心刃５，５を枢着するための枢着ネジ１５，１５を下カバー部材４を取り外さなくても脱着することができるよう、一対の貫通孔４ｅ，４ｅが、第１軸カバー部６ａ，６ａの相互に隣接する端縁６ｃ，６ｃ間の中間位置に、旋回アーム７の遠心刃取付杆７ｃ，７ｃの雌ネジ孔（図示せず）に対応させて設けられている。
【００２９】
第１軸カバー部６ａ，６ａは、基板４ａの外周部に沿う円弧状とされ、遠心刃５，５と干渉しないように基板４ａの外周部から立ち上げ形成されている。第２軸カバー部６ｂ，６ｂは、遠心刃５，５の回動半径よりもやや大きな半径を有する円弧状とされ、第１軸カバー部６ａ，６ａの相互に隣接する端縁６ｃ，６ｃ間において遠心刃５，５の背後に遠心刃５，５と干渉しないよう、基板４ａの上面から立ち上げ形成されている。これら第１軸カバー部６ａ，６ａおよび第２軸カバー部６ｂ，６ｂは、ともに基板４ａと一体的に形成されている。
【００３０】
このようになる巻付防止カバー１は、軽量化に寄与するよう合成樹脂で成形されている。なお、巻付防止カバー１の材質は合成樹脂に限らず、金属であってもよい。さらに、草刈り作業時に地面に接する虞の高い下カバー部材４を金属とし、上カバー部材３を合成樹脂とするなど、上下カバー部材３，４間で材質が異なっていてもよい。
【００３１】
以上説明したように、巻付防止カバー１の上カバー部材３は、駆動源ケース１０の先端部に取付壁部３ｂを介して固定ネジ１６により固定される一方、下カバー部材４は、駆動軸２の小径部２ａに嵌合された旋回アーム７を下方から覆うように、且つ、第２軸カバー部６ｂ，６ｂで囲まれた各空間内の中央にそれぞれ遠心刃５，５が位置するように基板４ａの嵌合孔４ｂを介して駆動軸２の小径部２ａに嵌着されるとともに、スプリングワッシャ１３、ワッシャ１４、および固定ネジ１２により駆動軸２に固定され、もって駆動源ケース１０の先端部に巻付防止カバー１が取り付けられる。取付が完了した状態で、下カバー部材４の第１軸カバー部６ａ，６ａおよび第２軸カバー部６ｂ，６ｂの上端面が、それぞれ上下カバー部材３，４の外周部における下面と接するか、或いは、該上端面と上カバー部材３の下面との間に刈草が侵入しないほどの僅かな隙間が形成されることとなる。
【００３２】
以上のようになる草刈機１００にあっては、操作杆２０の後部ハンドル２２に設けられた操作スイッチ２３により駆動源を駆動すると、駆動軸２が回転し、これにより旋回アーム７と巻付防止カバー１の下カバー部材４とが回転する。そして、それに伴って、遠心刃５，５が遠心力によりそれぞれ枢着ネジ１５，１５周りに回動して旋回アーム７の延長方向に突出される。その結果、これら２枚の遠心刃５，５は、巻付防止カバー１の下カバー部材４の外周面から飛び出た状態で旋回し、これら飛び出した遠心刃５，５により雑草や芝等の草が刈られる。そして、駆動軸２は巻付防止カバー１の第１軸カバー部６ａおよび第２軸カバー部６ｂによりその周囲が覆われ、また、旋回アーム７は第２軸カバー部６ｂにより囲われているので、草刈り作業中に刈草が駆動軸２や旋回アーム７に巻き付く虞がない。
【００３３】
以上説明した実施形態では、巻付防止カバー１の下カバー部材４を、第１軸カバー部６ａおよび第２軸カバー部６ｂと基板４ａとを一体化したものとしているが、第１軸カバー部６ａと第２軸カバー部６ｂの２要素だけを一体化して基板４ａと分離するとともに、駆動軸２に対して基板４ａをフリー回転状態として、駆動軸２の回転時に旋回アーム７と第１軸カバー部６ａおよび第２軸カバー部６ｂとだけがともに回転するように構成してもよい（請求項２に対応する実施形態）。この場合、巻付防止カバー１のなかでも最も傷みやすい基板４ａだけを新しいものと交換することができるので、パーツの交換費用を抑えることができる。なお、ここで基板４ａは請求項２でいうところの下カバー部材４に対応し、第１軸カバー部６ａおよび第２軸カバー部６ｂは請求項２でいうところの軸カバー部材に対応する。
【００３４】
なお、上記の実施形態では、本考案を携行型の草刈機に適用した例を挙げたが、これに限らず、例えば手押し式や自走式の芝刈り機等のような大型の草刈機にも適用することができる。
【符号の説明】
【００３５】
１  巻付防止カバー
２  駆動軸
３  上カバー部材
４  下カバー部材
５  遠心刃
６ａ  第1軸カバー部
６ｂ  第２軸カバー部
７  旋回アーム
１００  草刈機
【図１】
0003201912.tif 000003
【図２】
0003201912.tif 000004
【図３】
0003201912.tif 000005
【図４】
0003201912.tif 000006